(57)【特許請求の範囲】
【請求項１】
開口部を有する箱形のケースと、このケース内に収納保持され、アンテナとこれに接続された受信回路が配設された配線基板からなり、上記ケースの内底面に上記アンテナのループ部が装着された受信装置。
【請求項２】
配線基板上に平面状のアンテナ接続部を設け、このアンテナ接続部上に、アンテナの一方端に設けられた平板状の電極部を所定の空隙をおいて対向配置した請求項１記載の受信装置。
【請求項３】
アンテナの電極部を、配線基板上に配設された平面状のアンテナ接続部に対して対向面積を拡縮可能に配置した請求項２記載の受信装置。
【発明の詳細な説明】
【０００１】
【発明の属する技術分野】
本発明は、主に車両のドア錠の開閉を遠隔操作する遠隔制御装置に使用される受信装置に関するものである。
【０００２】
【従来の技術】
近年、車両のドア錠の開閉をエンジンキーを用いずに送信装置を用いて電波信号によって遠隔操作する遠隔制御装置が普及しているが、このような遠隔制御装置は、操作者が車外より送信装置を操作するとその送信装置より所定の電波信号が送信され、車両側に装着された受信装置に受信されて、電波信号に含まれた制御信号が受信装置にあらかじめ記憶させていた制御信号と一致した場合に車両のドア錠を開錠あるいは施錠するものであり、このような遠隔制御装置の受信装置について説明する。
【０００３】
図７は従来の受信装置の断面図、図８は同分解斜視図である。
【０００４】
同図において、１は成形樹脂製の箱形のケースであり、下方に開口部１Ａを有すると共に、一側面には後述するコネクタを挿通する切欠部１Ｂを有している。
【０００５】
２はケース１内に収納保持される配線基板であり、配線基板２上には、送信装置（図示せず）からの電波信号を受信する略四角形状に巻回されたループ部３Ａを有するアンテナ３が、略四角形状の樹脂製ホルダー４により配線基板２の上面から一定の距離を開けて保持固定され、アンテナ３の一方端の延長部３Ｂは配線基板２の穴状のアンテナ接続部２Ａに挿通され半田付けにて電気的に接続されている。
【０００６】
さらに、配線基板２上には、アンテナ３にて受信した電波信号を増幅し、波形分別および整形する受信回路５、この受信回路５から出力された信号を処理する信号処理回路６、この信号処理回路６から出力された信号により車両のドア錠の開閉動作を行うモーター（図示せず）を駆動するリレー７、および電源供給と車両側との電気信号の伝達に使用されるコネクタ８が配設されている。
【０００７】
また、９はケース１の開口部１Ａを覆う成形樹脂製のカバーである。
【０００８】
このように構成される受信装置の組立方法については、まず、配線基板２に形成された導電パターン（図示せず）に受信回路５、信号処理回路６、リレー７およびコネクタ８などを半田付けにより電気的に接続する。
【０００９】
また、略四角形状の樹脂製ホルダー４の上方に金属製の線材を巻き付けループ部３Ａを形成すると共に、ループ部３Ａの一方端を下方へ折り曲げ延長した延長部３Ｂを形成することによりアンテナ３を製作する。
【００１０】
次に、配線基板２上に樹脂製ホルダー４をネジ止め（図示せず）により固定すると共に、アンテナ３の延長部３Ｂを配線基板２の穴状のアンテナ接続部２Ａに挿通させ半田付けにより電気的に接続する。
【００１１】
そして、ケース１内に配線基板２を収納保持すると共に、ケース１の開口部１Ａをカバー９にて覆うことにより受信装置の組立を完了するものである。
【００１２】
以上のように構成された受信装置の動作について説明すると、送信装置（図示せず）から送信された制御信号を含む電波信号が、受信装置のアンテナ３を介して受信され、受信回路５内の増幅回路によって増幅されると共に、波形分別、波形整形された受信信号となって出力される。
【００１３】
そして、この受信信号は信号処理回路６に入力され、受信信号に含まれる制御信号が信号処理回路６にあらかじめ記憶されている制御信号と一致する場合に、制御信号に応じた駆動信号をリレー７に対して出力し、リレー７内の接点を切換えてモーターを正転、逆転、または停止させることによって車両のドア錠を開錠あるいは施錠するものであった。
【００１４】
【発明が解決しようとする課題】
しかしながら上記従来の受信装置においては、略四角形状の樹脂製ホルダー４の上方に金属製の線材を巻き付けてループ部３Ａを有するアンテナ３を形成し、樹脂製ホルダー４を配線基板２にネジ止めにより固定しなければならないため、受信装置の部品点数および組立工数が多くかかるという課題があった。
【００１５】
本発明は、このような従来の課題を解決するものであり、部品点数および組立工数の少ない安価な受信装置を提供することを目的とする。
【００１６】
【課題を解決するための手段】
上記目的を達成するために本発明は、以下の構成を有するものである。
【００１７】
本発明の請求項１に記載の発明は、開口部を有する箱形のケースと、このケース内に収納保持され、アンテナとこれに接続された受信回路が配設された配線基板からなり、上記ケースの内底面に上記アンテナのループ部が装着された受信装置としたものであり、アンテナをケースの内底面に装着したことにより、従来用いていたアンテナ保持用の樹脂製ホルダーが不要になると共に、樹脂製ホルダーのネジ止めが不要になるので、組立が容易となり、部品点数および組立工数の少ない安価な受信装置を提供することができるという作用を有する。
【００１８】
請求項２に記載の発明は、請求項１記載の発明において、配線基板上に平面状のアンテナ接続部を設け、このアンテナ接続部上に、アンテナの一方端に設けられた平板状の電極部を所定の空隙をおいて対向配置したものであり、請求項１の作用に加えて、アンテナの一方端に設けた平板状の電極部と配線基板上の平面状のアンテナ接続部を所定の空隙をおいて対向配置し、アンテナと受信回路とをインピーダンス整合が可能な擬似コンデンサによる電気的接続としたことにより、半田付け等による電気的接続が不要となるため、さらに組立工数の少ない安価な受信装置を提供することができるという作用を有する。
【００１９】
請求項３に記載の発明は、請求項２記載の発明において、アンテナの電極部を、配線基板上に配設された平面状のアンテナ接続部に対して対向面積を拡縮可能に配置したものであり、アンテナの平板状の電極部を配線基板上のアンテナ接続部上で移動させ、対向する面積を変え擬似コンデンサの静電容量を変化させることより、アンテナと受信回路とのインピーダンス整合を調整することができ、各種車両への受信装置の取付位置・方向の相違によるインピーダンス整合の相違を調整することができるので各種車両毎に受信感度の良い受信装置を提供することができるという作用を有する。
【００２０】
【発明の実施の形態】
以下、本発明の実施の形態について、図１〜図６を用いて説明する。
【００２１】
なお、従来の技術の項で説明した構成と同一構成の部分には同一符号を付して、詳細な説明を省略する。
【００２２】
（実施の形態）
図１は本発明の一実施の形態による受信装置の断面図、図２は同分解斜視図である。
【００２３】
同図において、１１は成形樹脂製の箱形のケースであり、下方に開口部１１Ａを有すると共に、一側面には後述するコネクタを挿通する切欠部１１Ｂを有し、ケース１１の内底面には、金属製の線材により形成された水平方向に略四角形状のループ部１３Ａを有すると共に、一方端がループ部１３Ａの水平面に対し垂直方向に折曲された延長部１３Ｂからなるアンテナ１３のループ部１３Ａ周囲を装着保持する略Ｌ字状の複数の支持部１１Ｃを備えている。
【００２４】
１２はケース１１内に収納保持される配線基板であり、配線基板１２上には、ケース１１の内底面に装着されたアンテナ１３の延長部１３Ｂが、配線基板１２の穴状のアンテナ接続部１２Ａに挿通され半田付けにて電気的に接続されている。
【００２５】
さらに、配線基板１２上には、アンテナ１３にて受信した電波信号を増幅し、波形分別および整形する受信回路５、この受信回路５から出力された信号を処理する信号処理回路６、この信号処理回路６から出力された信号により車両のドア錠の開閉動作を行うモーター（図示せず）を駆動するリレー７、および電源供給と車両側との電気信号の伝達に使用されるコネクタ８が配設されている。
【００２６】
また、９はケース１１の開口部１１Ａを覆う成形樹脂製のカバーである。
【００２７】
このように構成される受信装置の組立方法については、まず、ケース１１の内底面に備えられた略Ｌ字状の複数の支持部１１Ｃにアンテナ１３のループ部１３Ａを圧入嵌合により装着保持する。
【００２８】
次に、あらかじめ受信回路５、信号処理回路６、リレー７およびコネクタ８等が半田付けされた配線基板１２を、ケース１１内に収納保持すると共に、アンテナ１３の延長部１３Ｂを配線基板１２の穴状のアンテナ接続部１２Ａに挿通させ、配線基板１２とアンテナ１３を半田付けにて電気的に接続する。
【００２９】
そして、ケース１１の開口部１１Ａをカバー９にて覆うことにより受信装置の組立を完了するものである。
【００３０】
なお、以上のように構成された受信装置が、送信装置（図示せず）から送信された電波信号を受信し、受信信号により車両のドア錠を開錠あるいは施錠することは、従来の技術の場合と同様である。
【００３１】
このように本実施の形態によれば、アンテナ１３のループ部１３Ａをケース１１の内底面に設けた略Ｌ字状の複数の支持部１１Ｃに装着したことにより、従来用いていたアンテナ保持用の樹脂製ホルダーが不要になると共に、樹脂製ホルダーのネジ止め等が不要になるので、組立が容易となり、部品点数および組立工数の少ない安価な受信装置を得ることができるものである。
【００３２】
なお、上記実施の形態では、アンテナ１３の延長部１３Ｂと配線基板１２の穴状のアンテナ接続部１２Ａとを半田付けにて電気的に接続しているものを説明しているが、図３の他の例を示す受信装置の断面図、図４の同要部分解斜視図に示すものでは、アンテナ２１には、水平方向に略四角形状のループ部２１Ａが形成され、一方端がループ部２１Ａの水平面に対し垂直方向に折曲された延長部２１Ｂを有すると共に、延長部２１Ｂの先端にはループ部２１Ａの水平面に対し平行となる平板状の電極部２１Ｃを備え、配線基板２２上には、アンテナ２１の電極部２１Ｃに対応する位置に平面状のアンテナ接続部２２Ａが配設され、アンテナ２１の平板状の電極部２１Ｃと配線基板２２上の平面状のアンテナ接続部２２Ａを所定の空隙をおいて対向配置したものである。
【００３３】
以上のように、アンテナ２１の電極部２１Ｃとアンテナ接続部２２Ａ間に擬似コンデンサを設けて電気的に接続を行うことにより、受信装置の各種車両への取付位置・方向の相違による送信装置からの電波信号の受信感度が変わる場合、あらかじめ擬似コンデンサの電極部２１Ｃとアンテナ接続部２２Ａの対向面積および空隙の距離を調整し、擬似コンデンサの静電容量を最適値とすることにより、受信回路５とのインピーダンス整合を行い受信感度を最適にできると共に、半田付け等による電気的な接続が不要となるため、さらに組立工数の少ない安価な受信装置を得ることができるものである。
【００３４】
また、上記実施の形態において、図５の他の例を示す受信装置の断面図、図６のケースの部分断面斜視図に示すように、ケース２６の内底面に設けた略Ｌ字状の複数の支持部２６Ｃをアンテナ２１のループ部２１Ａの対向する二辺のみを支持するようにするとアンテナ２１の一方端に設けられた平板状の電極部２１Ｃは図５の左右方向へ移動させることができるものとなり、配線基板２２上に配設された平面状のアンテナ接続部２２Ａに対して対向面積が拡縮可能となる。
【００３５】
この時、ケース２６の内底面には、アンテナ２１の延長部２１Ｂの根元部分を保持する位置決め部２６Ｄを設けておくとアンテナ２１の位置を安定させることができる。
【００３６】
以上のように、アンテナ２１の平板状の電極部２１Ｃを配線基板２２上の平面状のアンテナ接続部２２Ａ上で移動させ、対向する面積を変え擬似コンデンサの静電容量を変化させることより、アンテナ２１と受信回路５とのインピーダンス整合を調整することができ、各種車両への受信装置の取付位置・方向の相違によるインピーダンス整合の相違を調整することができるので各種車両毎に受信感度の良い受信装置を得ることができるものである。
【００３７】
なお、上記実施の形態では、アンテナ１３のループ部１３Ａをケース１１の内底面に装着保持するために、ケースの内底面に略Ｌ字状の複数の支持部１１Ｃを設けた構成として説明したが、本発明はこの構成に限定するものではなく、アンテナ１３のループ部１３Ａをケース１１の内底面に装着保持する構成のものであれば、ケース１１の内底面に凹字状の突起を設けたものや、凹字状の溝部を設けたものでも本発明の実施は可能である。
【００３８】
また、上記実施の形態では、ケース１１内の内底面全面にアンテナ１３を形成することができ、従来用いていた樹脂製ホルダーを介したループ部を有したアンテナよりもアンテナ１３を大型化することにより、電波を効率よく受信できる受信感度の高い受信装置を得ることができるものである。
【００３９】
なお、上記実施の形態では、アンテナ２１の平板状の電極部２１Ｃと配線基板２２上の平面状のアンテナ接続部２２Ａを所定の空隙をおいて対向配置したものであるが、電極部２１Ｃとアンテナ接続部２２Ａとの間に所定の厚みを有する絶縁体を介して対向配置しても良いものである。
【００４０】
また、上記実施の形態では、アンテナ１３，２１を金属製の線材を用いて形成したものであるが、金属製の板材を用いて形成しても同様な効果が得られるものである。
【００４１】
【発明の効果】
以上のように本発明によれば、部品点数および組立工数の少ない安価な受信装置を提供することができるという有利な効果が得られる。
【図面の簡単な説明】
【図１】本発明の一実施の形態による受信装置の断面図
【図２】同分解斜視図
【図３】他の例を示す受信装置の断面図
【図４】同要部分解斜視図
【図５】他の例を示す受信装置の断面図
【図６】ケースの部分断面斜視図
【図７】従来の受信装置の断面図
【図８】同分解斜視図
【符号の説明】
５  受信回路
６  信号処理回路
７  リレー
８  コネクタ
９  カバー
１１，２６  ケース
１１Ａ  開口部
１１Ｂ  切欠部
１１Ｃ，２６Ｃ  支持部
１２，２２  配線基板
１２Ａ，２２Ａ  アンテナ接続部
１３，２１  アンテナ
１３Ａ，２１Ａ  ループ部
１３Ｂ，２１Ｂ  延長部
２１Ｃ  電極部
２６Ｄ  位置決め部
【図１】
0003873596.tif 000002
【図２】
0003873596.tif 000003
【図３】
0003873596.tif 000004
【図４】
0003873596.tif 000005
【図５】
0003873596.tif 000006
【図６】
0003873596.tif 000007
【図７】
0003873596.tif 000008
【図８】
0003873596.tif 000009